(57)【要約】【課題】  容器の蓋の開閉監視装置に適した電源制御装置を提供する。【解決手段】  リセットスイッチ３２がオンとなると、この状態がラッチ回路４０にラッチされ、電源制御回路４２が、情報発信装置２６の電源がオフになるように制御する。次に、情報発信装置２６の電源がオフの状態で、開閉検出スイッチ３０により蓋の閉鎖が検出されると、ラッチ回路４０がセット状態となり、電源制御回路４２にセット信号が出力されて情報発信装置２６の電源がオンになるように制御される。蓋閉蓄積回路４４は、蓋の閉鎖を誤検出することを防止するため、所定時間蓋の閉鎖が継続したときのみ蓋の閉鎖と判断するための回路であり、蓋閉強制出力回路４６は、情報発信装置２６の電源がオンとなった後、情報発信装置２６に蓋１８の閉鎖を認識させる回路である。【選択図】        図４
2005022853.tif 000002
【特許請求の範囲】
【請求項１】
容器の蓋が開放及び／または閉鎖されると監視センタに通報する通報端末の電源制御装置であって、
前記容器の蓋が開放及び／または閉鎖されたことを検出する開閉検出部と、
前記通報端末の電源オン制御を維持させるラッチ手段と、
前記ラッチ手段での電源オン制御を停止させるリセット手段と、
を備え、前記ラッチ手段は、電源オン制御が停止中に前記蓋の閉鎖を検出すると電源オン制御を開始させることを特徴とする電源制御装置。
【請求項２】
前記ラッチ手段は、前記蓋の閉鎖を所定時間継続して検出することにより蓋の閉鎖検知とすることを特徴とする請求項１記載の電源制御装置。
【請求項３】
更に、前記蓋の開放及び閉鎖信号を前記通報端末に強制出力する出力部を有し、前記ラッチ手段が電源オン制御を開始したときに前記蓋の閉鎖信号を前記出力部から前記通報端末に出力する請求項１または請求項２記載の電源制御装置。
【発明の詳細な説明】
【技術分野】
【０００１】
本発明は、廃棄物その他の容器の蓋の開閉を監視する装置の電源のオン、オフを制御する電源制御装置に関する。
【背景技術】
【０００２】
従来、廃棄物の排出、運搬、中間処理、最終処分等の一連の廃棄物処理を監視するため、特許文献１には、廃棄物の運搬車両の位置をグローバルポジショニングシステム（ＧＰＳ）を使用して監視するシステムが開示されている。ＧＰＳを使用するためには、端末としてＧＰＳ受信機が必要になるが、これは通常バッテリ駆動であるので、使用しない時は電源をオフとしておく必要がある。特に、上記特許文献１のように運搬車両毎ではなく、廃棄物を収容する容器毎に蓋の開閉を監視しようとすると、各容器にＧＰＳ受信機を設置することになるので、全て人手により電源のオン、オフの管理を行うのは困難である。
【０００３】
一方、例えば特許文献２には、装置本体の温度に応じて電源を切断するＧＰＳ受信機の電源制御装置が開示されている。
【特許文献１】特開平１１−２６８８０２号公報
【特許文献２】特開平５−１２６９３１号公報
【発明の開示】
【発明が解決しようとする課題】
【０００４】
しかし、上記従来例におけるＧＰＳ受信機の電源制御装置は、廃棄物その他の容器の蓋の開閉を監視するためのＧＰＳ受信機の電源制御装置ではなく、必ずしも容器の蓋の開閉監視装置に適したものとはなっていなかった。
【０００５】
本発明は、上記従来の課題に鑑みなされたものであり、その目的は、容器の蓋の開閉監視装置に適した電源制御装置を提供することにある。
【課題を解決するための手段】
【０００６】
上記目的を達成するために、本発明は、容器の蓋が開放及び／または閉鎖されると監視センタに通報する通報端末の電源制御装置であって、容器の蓋が開放及び／または閉鎖されたことを検出する開閉検出部と、通報端末の電源オン制御を維持させるラッチ手段と、ラッチ手段での電源オン制御を停止させるリセット手段と、を備え、ラッチ手段は、電源オン制御が停止中に蓋の閉鎖を検出すると電源オン制御を開始させることを特徴とする。
【０００７】
上記ラッチ手段は、蓋の閉鎖を所定時間継続して検出することにより蓋の閉鎖検知とするのが好適である。
【０００８】
また、上記電源制御装置が、更に、蓋の開放及び閉鎖信号を通報端末に強制出力する出力部を有し、ラッチ手段が電源オン制御を開始したときに蓋の閉鎖信号を出力部から通報端末に出力することを特徴とする。
【発明の効果】
【０００９】
本発明によれば、容器の蓋の開放及び／または閉鎖に応じて通報端末の電源制御を行うので、容器の蓋の開閉監視装置に適した電源制御装置を実現できる。
【発明を実施するための最良の形態】
【００１０】
以下、本発明を実施するための最良の形態（以下、実施形態という）を、図面に従って説明する。
【００１１】
図１には、本発明にかかる電源制御装置を備える廃棄物用の容器を使用した廃棄物監視システムの構成例が示される。なお、本発明は、図１に示された廃棄物用の容器に限らず、蓋の開閉を監視する必要のある容器全てに適用可能である。
【００１２】
図１において、蓋付きの容器１０には、排出者１２から排出された廃棄物が収納される。廃棄物を収納した容器１０は、運搬車両１４により最終処理業者１６等に運搬され、所定の廃棄場所へ廃棄される。上記容器１０の蓋１８には通報端末２０が設置され、容器１０の蓋１８が開閉される度に、容器１０の位置情報を監視センタ２２に通報するように構成されている。この位置情報は、通報端末２０がＧＰＳ衛星等を介して取得する。また、位置情報とともに、蓋１８の開放または閉鎖の情報を区別して監視センタ２２に通報するように構成するのが好適である。通報手段としては、無線通信等が使用される。通報端末２０から蓋１８の開放及び閉鎖の情報並びに容器１０の位置情報を通報された監視センタ２２は、これらの情報をサーバー等に記憶しておく。また、これらの情報は、必要に応じてディスプレイ等に表示され、または記憶媒体や他の表示装置等に出力される。なお、上記情報は、監視センタ２２が受け取った時系列で表示または出力されるように構成するのが好適である。
【００１３】
図２には、本発明にかかる電源制御装置を使用した通報端末２０の構成例が示される。図２において、通報端末２０のケース２４の内部には、容器１０の位置情報をＧＰＳ衛星等を介して取得し、蓋１８の開放及び閉鎖の情報とともに監視センタ２２に通報する情報発信装置２６が収容されている。また、ケース２４の内部には、情報発信装置２６にコネクタ２７で接続され、情報発信装置２６の電源のオン、オフ（すなわち、通報端末の電源のオン、オフ）を制御するための電源制御部２８も収容されている。この電源制御部２８には、容器１０の蓋１８の開放及び閉鎖を検出するための開閉検出スイッチ３０が接続されている。開閉検出スイッチ３０の先端には駆動レバー３１が設けられ、蓋１８の開放及び閉鎖時に容器１０の内壁等に駆動レバー３１が接触してその角度が変更されることにより蓋１８の開閉が検出される。この開閉検出スイッチ３０が本発明にかかる開閉検出部に相当する。なお、本実施形態では、蓋１８の開放時に開閉検出スイッチ３０が開、蓋１８の閉鎖時に開閉検出スイッチ３０が閉となるように構成しておく。
【００１４】
図３には、容器１０の蓋１８を閉鎖したことを検出する際の説明図が示される。図３において、容器１０に蓋１８を被せると、開閉検出スイッチ３０の先端に設けられた駆動レバー３１が容器１０の内壁に接触し、その角度が変更される。この駆動レバー３１の角度の変更により容器１０の蓋１８の閉鎖が検出される。また、容器１０から蓋１８が外されると、開閉検出スイッチ３０に内蔵されたバネ機構により駆動レバー３１の角度が元に戻り、蓋１８の開放が検出される。
【００１５】
再度図２に戻って、上記情報発信装置２６には、バッテリが内蔵されており、適宜コネクタ２７から取り外されて充電される。また、内蔵のバッテリのみを情報発信装置２６から取り出して充電する構成としてもよい。また、上記電源制御部２８には、リセットスイッチ３２が接続されており、ケース２４に上蓋３４を取り付けると、上蓋３４の押圧部３６がリセットスイッチ３２の押しボタン３８を押してリセットスイッチ３２がオンとなるように構成されている。
【００１６】
図４には、電源制御部２８の構成のブロック図が示される。図４において、ケース２４に上蓋３４を取り付けることによりリセットスイッチ３２がオンとなると、この状態がラッチ回路４０にラッチされる。このときのラッチ回路４０の出力信号により、電源制御回路４２が、情報発信装置２６の電源がオフになるように（電源オン制御を停止させるように）制御する。このリセットスイッチ３２が本発明のリセット手段に相当する。このように、リセットスイッチ３２と電源制御回路４２の動作により情報発信装置２６の電源をオフとしておくことにより、上記内蔵バッテリの電力消費を抑制することができる。
【００１７】
次に、情報発信装置２６の電源がオフの状態で、開閉検出スイッチ３０により蓋１８の最初の閉鎖が検出されると、その検出信号が開閉検出スイッチ３０からラッチ回路４０に入力され、ラッチ回路４０がセット状態となる。ラッチ回路４０がセット状態となると、ラッチ回路４０から電源制御回路４２にセット信号が出力され、これにより電源制御回路４２が、情報発信装置２６の電源がオンになるように制御する。以後、ラッチ回路４０がセット状態の間情報発信装置２６の電源オン制御が維持される。情報発信装置２６の電源がオンとなると、開閉検出スイッチ３０による蓋１８の開放及び閉鎖の検出信号が直接情報発信装置２６で受け付けられる状態になり、開閉検出スイッチ３０により出力された蓋１８の開放及び閉鎖の検出信号が、配線４８を介して情報発信装置２６の検出入力端子に入力される。情報発信装置２６では、蓋１８の開放及び閉鎖の検出信号を受け取る度に、前述したように、容器１０の位置情報とともに蓋１８の開放及び／または閉鎖の情報を監視センタ２２に通報する。上記ラッチ回路４０が本発明にかかるラッチ手段に相当する。
【００１８】
なお、開閉検出スイッチ３０とラッチ回路４０との間には蓋閉蓄積回路４４が設けられている。これは、容器１０への廃棄物投入中または蓋１８を開放して容器１０を運搬中等に、開閉検出スイッチ３０の駆動レバー３１の角度が短時間変化して蓋１８の閉鎖を誤検出することを防止するため、開閉検出スイッチ３０で蓋１８の閉鎖を検出してから所定時間、例えば１０秒程度ラッチ回路４０をセット状態とすることを遅延させるためのものである。これにより、所定時間以上蓋１８の閉の状態が継続して検出されなければ情報発信装置２６で蓋１８の閉鎖を検出せず、上記誤検出を防止できる。また、情報発信装置２６の検出入力端子には、上記配線４８の他、蓋閉強制出力回路４６からも信号が入力されている。これは、情報発信装置２６が蓋１８の開閉を検出するタイミングは、開から閉及び閉から開へ変化する時点であるが、上述した通り、蓋１８の最初の閉鎖の後で情報発信装置２６の電源がオンとなるので、この時だけ蓋１８の開から閉への変化を検出できない。そこで、蓋閉強制出力回路４６により、ラッチ回路４０によって情報発信装置２６の電源がオンとされた後、一旦擬似的に蓋１８が開となったような信号を出力し、その後閉となった信号を出力して、情報発信装置２６に蓋１８の閉鎖を認識させている。蓋閉強制出力回路４６が本発明にかかる出力部に相当する。
【００１９】
図５には、上記電源制御部２８の回路図の例が示される。また、図６には、図５に示された電源制御部２８の動作のタイミングチャートが示される。図５、図６おいて、ケース２４に上蓋３４を取り付けてリセットスイッチ３２の押しボタン３８が押されると、電源制御部２８がオンとなる。電源制御部２８がオンとなると、２つのＮＡＮＤ回路５０、５２で構成されるラッチ回路４０のリセット端子ａに電圧が印加され、入力信号がＨとなる。また、この場合、容器１０の蓋１８は開放状態としておき、開閉検出スイッチ３０を開とすることによりラッチ回路４０のセット端子ｄも入力信号がＨとなっている。以上より、ラッチ回路４０の出力はＨとなり、情報発信装置２６の一方の電源制御端子Ｐ２がＬとなる。また、この時インバータ５４の出力はＬとなるので、情報発信装置２６の他方の電源制御端子Ｐ１はＨとなる。この状態で、情報発信装置２６の電源はオフとなるように構成されている。
【００２０】
次に、容器１０の蓋１８を閉鎖すると、開閉検出スイッチ３０も閉となり、コンデンサ５６の電荷が抵抗５８を介して放電されてラッチ回路４０のセット端子ｄの入力信号がＬになる。これにより、ラッチ回路４０の出力がＬになり、インバータ５４の出力が、コンデンサ６０の電圧が所定の値になるまでＨとなる。インバータ５４の出力がＨとなると、情報発信装置２６の電源制御端子Ｐ１、Ｐ２がＬとなり、情報発信装置２６の電源がオンとなる。情報発信装置２６の電源をオンとするには、所定の時間（１０秒程度）必要なので、コンデンサ６０によりインバータ５４の出力がＨとなっている（Ｐ１、Ｐ２がＬとなっている）時間ｔを上記所定の時間よりやや長く（１２秒程度）なるように設定しておく。これにより、情報発信装置２６の電源が確実にオンとなる。続いて、時間ｔ経過後インバータ５４の入力信号がＨとなり、出力がＬとなると、情報発信装置２６の電源制御端子Ｐ１、Ｐ２の両方がＨとなり、情報発信装置２６がスリープ状態となって、省電力を図りつつ蓋１８の開閉を監視する。開閉検出スイッチ３０の検出信号は、配線４８を介して情報発信装置２６の検出端子Ｓに入力される。検出端子Ｓへの入力信号がＨのとき蓋１８が開放状態であり、入力信号がＬのとき蓋１８が閉鎖状態である。上記電源制御端子Ｐ１、Ｐ２及びこの入力信号を制御するインバータ５４、トランジスタ６８、７０により図４に示された電源制御回路４２が構成される。
【００２１】
なお、容器１０の蓋１８を閉鎖し、インバータ５４の出力がＨとなると、インバータ６２の出力がＬになり、トランジスタ６４がオフとなって擬似的に蓋１８が開放されたと同様の状態になる。これは、図４で説明したように、情報発信装置２６に蓋１８の閉鎖を認識させるためであり、インバータ６２とトランジスタ６４とにより蓋閉強制出力回路４６が構成されている。インバータ６２の出力は上記時間ｔ経過後Ｈとなり、トランジスタ６４がオンとなって蓋１８が閉の状態（検出端子Ｓの入力信号がＬ）に戻り、情報発信装置２６が蓋１８の閉鎖を検出する。
【００２２】
また、ラッチ回路４０のセット端子ｄに接続されたコンデンサ５６、抵抗５８及びダイオード６６は、開閉検出スイッチ３０が一時的に短時間閉となったときに、蓋１８の閉鎖を誤検出しないように、所定時間かけてセット端子ｄの入力信号をＬにする回路であり、図４で述べた蓋閉蓄積回路４４を構成している。
【００２３】
次に、蓋１８が閉鎖の状態から開放の状態に変化すると、開閉検出スイッチ３０が開となり、検出端子Ｓの入力信号がＨとなる。なお、情報発信装置２６の端子Ｇはグランドである。
【図面の簡単な説明】
【００２４】
【図１】本発明にかかる電源制御装置を備える廃棄物用の容器を使用した廃棄物監視システムの構成例を示す図である。
【図２】通報端末の構成例を示す図である。
【図３】容器の蓋を閉鎖したことを検出する際の説明図である。
【図４】電源制御部の構成のブロック図である。
【図５】電源制御部の回路図である。
【図６】図５の電源制御部の動作のタイミングチャートを示す図である。
【符号の説明】
【００２５】
１０  容器、１２  排出者、１４  運搬車両、１６  最終処理業者、１８  蓋、
２０  通報端末、２２  監視センタ、２４  ケース、２６  情報発信装置、２７  コネクタ、２８  電源制御部、３０  開閉検出スイッチ、３１  駆動レバー、３２  リセットスイッチ、３４  上蓋、３６  押圧部、３８  押しボタン、４０  ラッチ回路、４２  電源制御回路、４４  蓋閉蓄積回路、４６  蓋閉強制出力回路、４８  配線、５０、５２  ＮＡＮＤ回路、５４、６２  インバータ、５６、６０  コンデンサ、５８  抵抗、
６４、６８、７０  トランジスタ、６６  ダイオード。
【図１】
2005022853.tif 000003
【図２】
2005022853.tif 000004
【図３】
2005022853.tif 000005
【図４】
2005022853.tif 000006
【図５】
2005022853.tif 000007
【図６】
2005022853.tif 000008